(57)【要約】【課題】  窓への取り付けが容易になされる遮熱機能に優れる窓面取り付け用遮熱シートの提供。【解決手段】  全体をメッシュ構成Ｍとし、その表面にアルミコーティング７が設けられた窓面取り付け用遮熱シート。【選択図】図１
2013032672.tif 000002
【特許請求の範囲】
【請求項１】
全体がメッシュ構成である窓面取り付け用遮熱シート。
【請求項２】
表面にアルミコーティングがなされている請求項１記載の窓面取り付け用遮熱シート。
【請求項３】
請求項１または２記載の窓面取り付け用遮熱シートと、両面の貼り付け強度が異なる前記窓面取り付け用遮熱シートの取り付け用両面テープとからなる窓面取り付け用遮熱シートセット。
【請求項４】
フェルト層の両面にアルミ層が設けられてなる窓面取り付け用遮熱シート。
【請求項５】
請求項４記載の窓面取り付け用遮熱シートと、両面の貼り付け強度が異なる前記窓面取り付け用遮熱シートの取り付け用両面テープとからなる窓面取り付け用遮熱シートセット。
【発明の詳細な説明】
【技術分野】
【０００１】  この発明は、窓面取り付け用遮熱シートに関する。
【背景技術】
【０００２】  夏季においては、例えば、遮熱のために窓に遮熱フィルムを貼り、これにより室温の上昇を抑制することが行われている。
【発明の概念】
【発明が解決しようとする課題】
【０００３】  上記のように遮熱フィルムはその全体を密着するように窓に貼り付けるのでその取り付けに手間がかかり、とくに、フィルムとガラス間に気泡が残って見栄えが悪くなるという問題があった。また、容易に取り外したり付け替えたりすることもできなかった。
【０００４】  この発明は上記の事情に鑑みてなされたもので、窓への取り付けが容易になされる遮熱機能に優れる窓面取り付け用遮熱シートを提供することを目的とする。
【課題を解決するための手段】
【０００５】  請求項１の発明では、全体がメッシュ構成である窓面取り付け用遮熱シートを提供する。
【０００６】  上記窓面取り付け用遮熱シートはフィルム形態でないので、その取り付けが直接貼り付けでない適宜の方法によりなされる。上記窓面取り付け用遮熱シートを窓に取り付けることで、その表面で太陽光が反射され、かつ、熱がシートに吸収されて遮熱効果が発揮され、また、メッシュ構成を備えることで太陽光の眩しさが抑制されるが、視野が完全に遮られることはなく、くわえて、外部から室内を見えにくくなる。とくに、その表面にアルミコーティングがなされた構成とされることで、反射性能が高まって遮熱効果がさらに向上されるとともに、強度、耐候性に優れるものとなり、また、水洗いを行うこともでき、この窓面取り付け用遮熱シートは屋外側において好適に使用される。なお、アルミコーティングに代えてカラーコーティングとすることで意匠性に優れるものが得られる。
【０００７】    上記窓面取り付け用遮熱シートは、一般住宅、工場、事務所等の窓面に好適に用いられる。
【０００８】  上記窓面取り付け用遮熱シートと、両面の貼り付け強度が異なる窓面取り付け用遮熱シートの取り付け用両面テープとからなる窓面取り付け用遮熱シートセットを提供することで、実施形態で説明するように窓面取り付け用遮熱シートの取り付けがその使用方法に対応して便利になされる。
【０００９】  請求項４の発明では、フェルト層の両面にアルミ層が設けられてなる窓面取り付け用遮熱シートを提供する。窓面取り付け用遮熱シートはフィルム形態でないので、その取り付けが直接貼り付けでない適宜の方法によりなされる。上記窓面取り付け用遮熱シートを窓に取り付けることで、太陽光はその表面にアルミ層があることで反射され、また、フェルト層に熱が吸収されるとともにそこが断熱空間となることで、遮熱効果が果たされる。断熱空間は保温効果を発揮するので、この窓面取り付け用遮熱シートは冬季においても有効に用いられる。
【００１０】    上記窓面取り付け用遮熱シートは、一般住宅、工場、事務所等の窓面に好適に用いられる。
【００１１】  上記窓面取り付け用遮熱シートと、両面の貼り付け強度の異なる前記窓面取り付け用遮熱シートの取り付け用両面テープとからなる窓面取り付け用遮熱シートセットを提供することで、実施形態で説明するように窓面取り付け用遮熱シートの取り付けがその使用方法に対応して便利になされる。
【発明の効果】
【００１２】  請求項１、請求項４の発明によれば、適宜の取り付け方法で窓面への取り付けが容易になされ、かつ、遮熱効果に優れる窓面取り付け用遮熱シートが得られる。また、請求項３、請求項５の発明によれば、遮熱効果に優れる窓面取り付け用遮熱シートの取り付けがその使用方法に対応して便利になされる。
【図面の簡単な説明】
【００１３】
【図１】  この発明の窓面取り付け用遮熱シートセットの第１の実施形態の斜視図
【図２】  この発明の窓面取り付け用遮熱シートの第１の実施形態の切欠き断面図
【図３】  この発明の窓面取り付け用遮熱シートセットの第２の実施形態の斜視図
【図４】  この発明の窓面取り付け用遮熱シートの第２の実施形態の切欠き断面図
【発明を実施するための形態】
【００１４】  図１は窓面取り付け用遮熱シートセットの第１の実施形態を示し、窓面取り付け用遮熱シートセットＳ１は窓面取り付け用遮熱シート１とその取り付けに使用される一対の両面テープ２とからなる。窓面取り付け用遮熱シート１は全体がメッシュ構成Ｍ（図１においては一部のみにおいてメッシュ構成Ｍを示している。）で、図２に示すように、辺長さを略１ｍｍ程度とする略方形の穴５が多数並設されて構成されている。６は織物繊維であり、その表面の全体にアルミコーティング７が形成されている。織物繊維６としては、例えば、ポリエステル繊維に塩化ビニール樹脂が塗布されたものが使用され、織物繊維６が織られた状態において加熱されることでメッシュ状に固定され、その固定されたものがアルミニュウム溶液内に浸されることでアルミコーティング７が付されて窓面取り付け用遮熱シート１は作成されている。
【００１５】  窓面取り付け用遮熱シート１はその上下縁部分が両面テープ２により窓、もしくは窓枠に貼り付けられて取り付けられる。また、はと目８が係止されることで取り付けられてもよい。窓面への取り付けは屋外側、屋内側適宜であってよい。
【００１６】  両面テープ２としては両面２ａ、２ｂの貼り付け強度の異なるものが便利に用いられる。窓への貼り付け位置が決まっている場合は両面テープ２の窓への貼り付け面２ａの貼り付け強度を大とし、これにより、窓面取り付け用遮熱シート１を取り外した場合に両面テープ２が窓側に残ることで、再度のその位置への窓面取り付け用遮熱シート１の取り付けが容易になされる。これに対し窓への貼り付け位置を変更する場合は両面テープ２の窓面取り付け用遮熱シート１への貼り付け面２ｂの貼り付け強度を大とし、これにより、窓面取り付け用遮熱シート１を取り外した場合に両面テープ２が窓面取り付け用遮熱シート１側に残ることで、適宜位置への貼り替え取り付けがそのままの状態で容易になされる。
【００１７】  上記のようにして窓面取り付け用遮熱シート１が窓面に取り付けられることで、太陽光はその表面にアルミコーティング７があることで反射され、また、内部に熱が吸収されることで、遮熱効果が良好に果たされる。また、メッシュ構成Ｍを備えることで太陽光の眩しさが抑制されるが、視野が完全に遮られることはなく、くわえて、外部から室内を見えにくくするという防犯上の効果も発揮する。さらに、アルミコーティング７を有することで、強度、耐候性に優れ、屋外側において支障なく使用でき、また、水洗いを繰り返し行うこともできてきれいな状態で使用できる。
【００１８】  図３は窓面取り付け用遮熱シートセットの第２の実施形態を示し、窓面取り付け用遮熱シートセットＳ２は窓面取り付け用遮熱シート１１とその取り付けに使用される一対の両面テープ１２とからなる。窓面取り付け用遮熱シート１１は、図４に示すように、フェルト層１４の両面にアルミ層１５が設けられて構成されている。アルミ層１５は表面にアルミ蒸着層１６が付されたポリエチレンテレフタレートシート１７がフェルト層１４の両面に貼り付けられることで設けられている。
【００１９】  窓面取り付け用遮熱シート１１はその上下縁部分が両面テープ１２により窓、もしくは窓枠に貼り付けられて取り付けられる。また、はと目１８が係止されることで取り付けられてもよい。窓面への取り付けは屋外側、屋内側適宜であってよい。
【００２０】  両面テープ１２としては両面１２ａ、１２ｂの貼り付け強度の異なるものが、上記第１の実施形態のものと同様に便利に用いられる。
【００２１】  窓面取り付け用遮熱シート１１が窓面に取り付けられると、太陽光はその表面にアルミ層１５があることで反射され、また、フェルト層１４に熱が吸収されるとともにそこが断熱空間となることで、遮熱効果が良好に果たされる。この窓面取り付け用遮熱シート１１はフェルト層１４による断熱空間が保温効果を発揮するもので、夏季、冬季ともに有効に用いられる。
【符号の説明】
【００２２】１    窓面取り付け用遮熱シート
２    両面テープ
５    穴
６    織物繊維
７    アルミコーティング
Ｓ１  窓面取り付け用遮熱シートセット
Ｍ    メッシュ構成
【図１】
2013032672.tif 000003
【図２】
2013032672.tif 000004
【図３】
2013032672.tif 000005
【図４】
2013032672.tif 000006